(57)【要約】      （修正有）【課題】ＬＥＤ道路照明器具のより高い結合強度とより便利な組立工程とを提供するために、リブをスロットに取り付けることにより組み立てられたＬＥＤ道路照明器具を提供する。【解決手段】ＬＥＤ道路照明器具は、ＬＥＤモジュール２０に嵌め込まれたヒートシンク１０と、ベース３０と、照明ポールホルダー組立体４０とを備える。前記ベース、前記ヒートシンク及び前記照明ポールホルダー組立体は、リブ３１，４１，３１ａをスロット１１，３２，１１ａに滑動可能に取り付けることにより組み立てられている。このような係合の接触領域はねじを用いた係合の接触領域より広く、これにより、前記ＬＥＤ道路照明器具の結合強度を高め、前記ＬＥＤ道路照明器具の寿命を延ばすことができる。さらに、リブ及びスロットを用いた係合機構は、便利であり、組立に要する時間を短縮する。【選択図】図１
0003165856.tif 000002
【実用新案登録請求の範囲】
【請求項１】
頂部と底部と中央部と該中央部に形成され、該中央部を貫く照明開口部とそれぞれが前記頂部に形成された複数の第１滑動スロットとを有するヒートシンクと、
前記ヒートシンクの前記照明開口部から下方へ照明するために該照明開口部に取り付けられたＬＥＤモジュールと、
頂部と底部とそれぞれが該底部に形成され、該底部から下方へ突出し、前記ヒートシンクの前記第１滑動スロットに整列され、該第１滑動スロットに滑動可能に取り付けられた複数の第１滑動リブとそれぞれが前記頂部に形成された複数の第２滑動スロットとを有するベースと、
底部とそれぞれが該底部に形成され、該底部から下方へ突出し、前記ベースの前記第２滑動スロットに整列され、該第２滑動スロットに滑動可能に取り付けられた複数の第２滑動リブとを有する照明ポールホルダー組立体とを含む、ＬＥＤ道路照明器具。
【請求項２】
各第１滑動スロット及び各第１滑動リブは、円形の一部をなす断面形状を有し、
各第２滑動スロット及び各第２滑動リブは、円形の一部をなす断面形状を有する、請求項１に記載のＬＥＤ道路照明器具。
【請求項３】
各第１滑動スロット及び各第１滑動リブは、先端部が角をなす断面形状を有し、
各第２滑動スロット及び各第２滑動リブは、先端部が角をなす断面形状を有する、請求項１に記載のＬＥＤ道路照明器具。
【請求項４】
前記ヒートシンクは、凹状であり、前記ヒートシンクの相対する２つの側部に形成され、該側部から水平方向に突出する２つの第１フランジを有し、各第１フランジは複数の第１貫通穴を有し、前記照明開口部は矩形であり、
前記ベースは、凹状であり、前記ベースの相対する２つの側部に形成され、該側部から水平方向に突出する２つの第２フランジを有し、各第２フランジは複数の第２貫通穴を有する、請求項１ないし３のいずれか１項に記載のＬＥＤ道路照明器具。
【請求項５】
前記照明開口部は、矩形であり、４つの側壁を有し、
前記ＬＥＤモジュールは、前記照明開口部の相対する２つの側壁に固定された２つの支持ブラケットと、
前記支持ブラケットに取り付けられたランプシェードと、
前記ベースの前記底部に取り付けられ、底部を有する取付け用プレートと、
それぞれが前記取付け用プレートの前記底部に取り付けられた複数のＬＥＤ素子とを有する、請求項１ないし３のいずれか１項に記載のＬＥＤ道路照明器具。
【請求項６】
前記照明開口部は４つの側壁を有し、
前記ＬＥＤモジュールは、前記照明開口部の相対する２つの側壁に取り付けられた２つの支持ブラケットと、
前記支持ブラケットに取り付けられたランプシェードと、
前記ベースの前記底部に取り付けられ、底部を有する取付け用プレートと、
それぞれが前記取付け用プレートの前記底部に取り付けられた複数のＬＥＤ素子とを有する、請求項４に記載のＬＥＤ道路照明器具。
【請求項７】
前記照明開口部は、矩形であり、４つの側壁を有し、相対する２つの側壁は傾斜しており、
各支持ブラケットは、傾斜した側壁の１つに取り付けられた取付け用の傾斜部分と、
前記照明開口部を貫くために、前記傾斜部分の底部に形成され、該底部から下方へ突出するＬ字形の支持部分とを有し、
前記ランプシェードは、湾曲しており、前記ランプシェードの相対する２つの側部に形成され、該側部から水平方向に突出する２つのランプフランジを有し、各ランプフランジは前記支持ブラケットの前記支持部分に取り付けられている、請求項１ないし３のいずれか１項に記載のＬＥＤ道路照明器具。
【請求項８】
前記照明開口部は相対する２つの傾斜した側壁を有し、
各支持ブラケットは、前記傾斜した側壁の１つに取り付けられた取付け用の傾斜部分と、
前記照明開口部を貫くために、前記傾斜部分の底部に形成され、該底部から下方へ突出するＬ字形の支持部分とを有し、
前記ランプシェードは、湾曲しており、前記ランプシェードの相対する２つの側部に形成され、該側部から水平方向に突出する２つのランプフランジを有し、各ランプフランジは前記支持ブラケットの前記支持部分に取り付けられている、請求項６に記載のＬＥＤ道路照明器具。
【請求項９】
前記照明ポールホルダー組立体は、底部とそれぞれが該底部に形成され、該底部から下方へ突出し、前記ベースの前記第２滑動スロットに滑動可能に取り付けられた複数の第２滑動リブとを有する第１スリーブと、
底部とそれぞれが該底部に形成され、該底部から下方へ突出し、前記ベースの前記第２滑動スロットに滑動可能に取り付けられた複数の第２滑動リブと前記第１スリーブの端部を取り巻き、該端部に取り付けられた端部とを有する第２スリーブと、
前記第１スリーブと前記第２スリーブとの間に配置され、圧縮された防水用のガスケットとを有する、請求項８に記載のＬＥＤ道路照明器具。
【請求項１０】
前記第１スリーブ及び前記第２スリーブのそれぞれは、前記第１スリーブの前記底部の２つの側部に形成され、該側部から斜めに外方へ突出し、前記ベースの前記頂部に固定された２つの固定用プレートを有する、請求項９に記載のＬＥＤ道路照明器具。
【請求項１１】
前記ヒートシンクは、それぞれが該ヒートシンクの前記底部に形成され、該底部から下方へ突出する複数のフィンを有する、請求項１ないし３のいずれか１項に記載のＬＥＤ道路照明器具。
【考案の詳細な説明】
【技術分野】
【０００１】
本考案は、ＬＥＤ道路照明器具、具体的には、部品に形成されたリブとスロットとの係合により組み立てられたＬＥＤ道路照明器具に関する。
【背景技術】
【０００２】
消費電力が低く、輝度が高いＬＥＤ道路照明器具は徐々に主流の道路照明器具となっている。ＬＥＤ道路照明器具が電力を節約するにもかかわらず、高熱放出がＬＥＤ照明器具の問題である。ＬＥＤ道路照明器具に取り付けられた大きい放熱板が、高熱放出に対応する主な技術的手段であるが、前記放熱板は組立の問題を生じさせる。
【０００３】
図６に示すように、従来のＬＥＤ道路照明器具は、トップカバー５０と、ボトムカバー６０と、ＬＥＤモジュール７０とを備える。
【０００４】
トップカバー５０は、ランプポールスリーブ５１と、２つの上方ウイング５２とを有する。ランプポールスリーブ５１は、トップカバー５０の後端部に形成され、該後端部から突出している。上方ウイング５２は、トップカバー５０の２つの側部に形成され、該側部から下方へ突出している。各上方ウイング５２は複数の貫通穴５２１を有する。
【０００５】
ボトムカバー６０は、２つの下方ウイング６１と、複数の照明穴６１２と、複数のねじ穴６１３とを有する。下方ウイング６１は、ボトムカバー６０の２つの側部に形成され、該側部から上方へ突出している。各下方ウイング６１は複数の貫通穴６１１を有する。トップカバー５０がボトムカバー６０に取り付けられ、上方ウイング５２の貫通穴５２１が下方ウイング６１の貫通穴６１１に整列されたとき、複数のボルト８０が、トップカバー５０とボトムカバー６０とを結合するために貫通穴５２１及び貫通穴６１１に挿入される。照明穴６１２はボトムカバー６０を貫いている。ねじ穴６１３は、ボトムカバー６０を貫き、照明穴６１２に隣接している。
【０００６】
ＬＥＤモジュール７０は、トップカバー５０とボトムカバー６０との間に配置され、複数のＬＥＤストリップ７１を有する。ＬＥＤストリップ７１は互いに平行であり、各ＬＥＤストリップ７１は、中空の金属バー７１１と、複数のＬＥＤ素子７１２とを有する。ＬＥＤ素子７１２は、金属バー７１１の底部に取り付けられ、照明穴６１２に整列され、該照明穴を経て照明する。各ＬＥＤ素子７１２は、ねじ穴６１３の少なくとも１つに整列され、複数のねじ７１３をねじ穴６１３を経てＬＥＤ素子７１２に螺合することにより、ボトムカバー６０に固定されている。
【考案の概要】
【考案が解決しようとする課題】
【０００７】
従来のＬＥＤ道路照明器具のＬＥＤモジュール７０がねじによりボトムカバー６０に結合され、トップカバー５０がねじによりボトムカバー６０に固定されているため、前記ＬＥＤ道路照明器具は、屋外使用の後、緩み、外れる可能性がある。頻繁な維持管理に加え、公衆の安全が危険に晒される可能性が高く、前記ＬＥＤ道路照明器具の組立てに多くの労力と時間とを要する。
【０００８】
本考案の目的は、ＬＥＤ道路照明器具のより高い結合強度とより便利な組立工程とを提供するために、前記ＬＥＤ道路照明器具の部品に形成されたリブとスロットとを使用し、前記リブを前記スロットに取り付けることにより組み立てられたＬＥＤ道路照明器具を提供することである。
【課題を解決するための手段】
【０００９】
上記の目的を達成するために、ＬＥＤ道路照明器具は、ヒートシンクと、ＬＥＤモジュールと、ベースと、照明ポールホルダー組立体とを備える。
【００１０】
前記ヒートシンクは、頂部と、底部と、照明開口部と、複数の第１滑動スロットとを有する。前記照明開口部は、前記ヒートシンクの中央部に形成され、該中央部を貫いている。前記第１滑動スロットは前記ヒートシンクの前記頂部に形成されている。
【００１１】
前記ＬＥＤモジュールは、前記照明開口部から下方へ照明するために前記ヒートシンクの前記照明開口部に取り付けられている。
【００１２】
前記ベースは、頂部と、底部と、複数の第１滑動リブと、複数の第２滑動スロットとを有する。前記第１滑動リブは、前記ベースの前記底部に形成され、該底部から下方へ突出し、前記ヒートシンクの前記第１滑動スロットに整列され、該第１滑動スロットに滑動可能に取り付けられている。前記第２滑動スロットは前記ベースの前記頂部に形成されている。
【００１３】
前記照明ポールホルダー組立体は、底部と、複数の第２滑動リブとを有する。前記第２滑動リブは、前記照明ポールホルダー組立体の前記底部に形成され、該底部から下方へ突出し、前記ベースの前記第２滑動スロットに整列され、該第２滑動スロットに滑動可能に取り付けられている。
【００１４】
前記ＬＥＤ道路照明器具は、前記ベース、前記ヒートシンク及び前記照明ポールホルダー組立体に形成されたリブ及びスロットを、前記リブを前記スロットに滑動可能に取り付けることにより前記ベース、前記ヒートシンク及び前記照明ポールホルダー組立体を組み立てるために使用する。係合の広い接触領域により、前記ＬＥＤ道路照明器具の結合強度は、比較的高く、より安定した構造をもたらす。さらに、取付け用のリブをスロットの中へ滑動させることは、便利であり、作業者が前記ＬＥＤ道路照明器具を組み立てる時間を短縮する。
【００１５】
本考案の他の目的、利点及び新規な特徴は、添付の図面に関する以下の詳細な説明からより明らかになる。
【図面の簡単な説明】
【００１６】
【図１】本考案の第１実施例に係るＬＥＤ道路照明器具の分解斜視図。
【図２】図１に示したＬＥＤ道路照明器具の他の分解斜視図。
【図３】図１に示したＬＥＤ道路照明器具の斜視図。
【図４Ａ】図１に示したＬＥＤ道路照明器具の側面図。
【図４Ｂ】本考案の第２実施例に係るＬＥＤ道路照明器具の側面図。
【図５】図１に示したＬＥＤ道路照明器具の断面図。
【図６】従来のＬＥＤ道路照明器具の分解斜視図。
【考案を実施するための形態】
【００１７】
図１ないし３に示すように、ＬＥＤ道路照明器具は、ヒートシンク１０と、ＬＥＤモジュール２０と、ベース３０と、照明ポールホルダー組立体４０とを備える。
【００１８】
ヒートシンク１０は、凹状であり、照明開口部１０１と、複数の第１滑動スロット１１、１１ａと、２つの第１フランジ１２と、複数のフィン１０２とを有する。照明開口部１０１は、矩形であり、ヒートシンク１０の中央部に形成され、該中央部を貫いている。第１滑動スロット１１、１１ａはヒートシンク１０の頂部に平行に形成されている。第１フランジ１２は、ヒートシンク１０の相対する２つの側部に形成され、該側部から水平方向に突出している。各第１フランジ１２は複数の第１貫通穴１２１を有する。フィン１０２は、ヒートシンク１０の底部に形成され、該底部から下方へ突出している。各第１滑動スロット１１、１１ａは、図４Ｂに示すように、円形の一部をなす断面形状、先端部が角をなす断面形状、四角形の断面形状又はカエデの葉の形状をなす断面形状を有する。
【００１９】
ＬＥＤモジュール２０は、ヒートシンク１０の照明開口部１０１から下方へ照明するために該照明開口部に取り付けられている。ＬＥＤモジュール２０は、２つの支持ブラケット２１と、ランプシェード２２と、取付け用プレート２３と、複数のＬＥＤ素子２４とを有する。支持ブラケット２１は照明開口部１０１の相対する２つの側壁に固定されている。前記側壁は傾斜している。各支持ブラケット２１は、取付け用の傾斜部分２１１と、Ｌ字形の支持部分２１２とを有する。傾斜部分２１１は、傾斜した側壁の１つに取り付けられている。支持部分２１２は、照明開口部１０１を貫くために、傾斜部分２１１の底部に形成され、該底部から下方へ突出している。ランプシェード２２は、支持ブラケット２１に取り付けられ、湾曲しており、ガラス材料で作られている。ランプシェード２２は、該ランプシェードの相対する２つの側部に形成され、該側部から水平方向に突出する２つのランプフランジ２２１を有する。各ランプフランジ２２１は支持ブラケット２１の支持部分２１２に取り付けられている。取付け用プレート２３はベース３０の底部に取り付けられている。ＬＥＤ素子２４は取付け用プレート２３の底部に取り付けられている。
【００２０】
ベース３０は、凹状であり、複数の第１滑動リブ３１、３１ａと、複数の第２滑動スロット３２と、２つの第２フランジ３３とを有する。第１滑動リブ３１、３１ａは、ベース３０の前記底部に平行に形成され、該底部から下方へ突出し、第１滑動スロット１１、１１ａに滑動可能に取り付けられている。第２滑動スロット３２はベース３０の頂部に形成されている。各第１滑動リブ３１、３１ａは、図４Ｂに示すように、円形の一部をなす断面形状、先端部が角をなす断面形状、四角形の断面形状又はカエデの葉の形状をなす断面形状を有する。各第２滑動スロット３２は、円形の一部をなす断面形状を有する。第２フランジ３３は、ベース３０の相対する側部に形成され、該側部から水平方向に突出している。各第２フランジ３３は、ヒートシンク１０の第１フランジ１２の第１貫通穴１２１に対応する複数の第２貫通穴３３１を有する。第１滑動リブ３１、３１ａがヒートシンク１０の第１滑動スロット１１、１１ａに滑動可能に取り付けられているとき、ベース３０とヒートシンク１０とは結合されている。このとき、第２フランジ３３は第１フランジ１２に重ねられている。各第１貫通穴１２１が第２貫通穴３３１の１つに整列されているとき、ねじが第１貫通穴１２１に挿入され、第２貫通穴３３１に螺合されている。
【００２１】
照明ポールホルダー組立体４０は、第１スリーブ４２と、第２スリーブ４３と、防水用のガスケット４４とを有する。第１スリーブ４２は、複数の第２滑動リブ４１と、２つの固定用プレート４２１とを有する。第２滑動リブ４１は、第１スリーブ４２の底部に形成され、該底部から下方へ突出し、ベース３０の第２滑動スロット３２に滑動可能に取り付けられている。固定用プレート４２１は、第１スリーブ４２の前記底部の２つの側部に形成され、該側部から斜めに外方へ突出し、ベース３０の前記頂部に固定されている。第２スリーブ４３の端部は、第１スリーブ４２の端部を取り巻き、該端部に取り付けられ、第２スリーブ４３に照明ポールを固定する。第２スリーブ４３は、複数の第２滑動リブ４１と、２つの固定用プレート４３１とを有する。第２滑動リブ４１は、第２スリーブ４３の底部に形成され、該底部から下方へ突出し、ベース３０の第２滑動スロット３２に滑動可能に取り付けられている。固定用プレート４３１は、第２スリーブ４３の前記底部の２つの側部に形成され、該側部から斜めに外方へ突出し、ベース３０の前記頂部に固定されている。ガスケット４４は、第１スリーブ４２と第２スリーブ４３との間に配置され、圧縮されている。
【００２２】
挿入タイプのＬＥＤ道路照明器具の組立工程を以下に説明する。
【００２３】
ＬＥＤモジュール２０のランプシェード２２及び支持ブラケット２１はヒートシンク１０の照明開口部１０１に挿入される。ベース３０の第１滑動リブ３１は、ベース３０をヒートシンク１０に結合するためにヒートシンク１０の第１滑動スロット１１に整列され、該第１滑動スロットに挿入される。複数のねじが、ヒートシンク１０をベース３０に固定するために第１フランジ１２の第１貫通穴１２１に挿入されかつ第２フランジ３３の第２貫通穴３３１に螺合される。第１スリーブ４２及び第２スリーブ４３の第２滑動リブ４１は、ベース３０に照明ポールホルダー組立体４０を結合するためにベース３０の第２滑動スロット３２に整列され、該第２滑動スロットに挿入される。固定用プレート４２１、４３１は、照明ポールホルダー組立体４０とベース３０との間の安定した結合強度を与えるためにベース３０の前記頂部にねじ止めされている。
【００２４】
ベース３０、ヒートシンク１０及び照明ポールホルダー組立体４０の組立体は、第１滑動リブ３１、３１ａ、第２滑動リブ４１、第１滑動スロット１１、１１ａ及び第２滑動スロット３２を使用し、第１滑動リブ３１、３１ａ及び第２滑動リブ４１をそれぞれ第１滑動スロット１１、１１ａ及び第２滑動スロット３２に取り付ける。このような係合の接触領域はねじを用いた係合の接触領域より広く、前記ＬＥＤ道路照明器具の結合強度を高めることができる。さらに、第１滑動リブ３１、３１ａ、第２滑動リブ４１、第１滑動スロット１１、１１ａ及び第２滑動スロット３２の組立工程は、便利であり、前記ＬＥＤ道路照明器具の組立時間を短縮することができる。
【符号の説明】
【００２５】
１０    ヒートシンク
１１、１１ａ    第１滑動スロット
１２    第１フランジ
２０    ＬＥＤモジュール
２１    支持ブラケット
２２    ランプシェード
２３    取付け用プレート
２４    ＬＥＤ素子
３０    ベース
３１、３１ａ    第１滑動リブ
３２    第２滑動スロット
３３    第２フランジ
４０    照明ポールホルダー組立体
４１    第２滑動リブ
４２    第１スリーブ
４３    第２スリーブ
４４    ガスケット
１０１    照明開口部
１０２    フィン
１２１    第１貫通穴
２１１    傾斜部分
２１２    支持部分
２２１    ランプフランジ
３３１    第２貫通穴
４２１、４３１    固定用プレート
【図１】
0003165856.tif 000003
【図２】
0003165856.tif 000004
【図３】
0003165856.tif 000005
【図４Ａ】
0003165856.tif 000006
【図４Ｂ】
0003165856.tif 000007
【図５】
0003165856.tif 000008
【図６】
0003165856.tif 000009
【手続補正書】
【提出日】平成22年11月25日(2010.11.25)
【手続補正１】
【補正対象書類名】実用新案登録請求の範囲
【補正対象項目名】全文
【補正方法】変更
【補正の内容】
【実用新案登録請求の範囲】
【請求項１】
頂部と底部と中央部と該中央部に形成され、該中央部を貫く照明開口部とそれぞれが前記頂部に形成された複数の第１滑動スロットとを有するヒートシンクと、
前記ヒートシンクの前記照明開口部から下方へ照明するために該照明開口部に取り付けられたＬＥＤモジュールと、
頂部と底部とそれぞれが該底部に形成され、該底部から下方へ突出し、前記ヒートシンクの前記第１滑動スロットに整列され、該第１滑動スロットに滑動可能に取り付けられた複数の第１滑動リブとそれぞれが前記頂部に形成された複数の第２滑動スロットとを有するベースと、
底部とそれぞれが該底部に形成され、該底部から下方へ突出し、前記ベースの前記第２滑動スロットに整列され、該第２滑動スロットに滑動可能に取り付けられた複数の第２滑動リブとを有する照明ポールホルダー組立体とを含む、ＬＥＤ道路照明器具。
【請求項２】
各第１滑動スロット及び各第１滑動リブは、円形の一部をなす断面形状を有し、
各第２滑動スロット及び各第２滑動リブは、円形の一部をなす断面形状を有する、請求項１に記載のＬＥＤ道路照明器具。
【請求項３】
各第１滑動スロット及び各第１滑動リブは、先端部が角をなす断面形状を有し、
各第２滑動スロット及び各第２滑動リブは、先端部が角をなす断面形状を有する、請求項１に記載のＬＥＤ道路照明器具。
【請求項４】
前記ヒートシンクは、凹状であり、前記ヒートシンクの相対する２つの側部に形成され、該側部から水平方向に突出する２つの第１フランジを有し、各第１フランジは複数の第１貫通穴を有し、前記照明開口部は矩形であり、
前記ベースは、凹状であり、前記ベースの相対する２つの側部に形成され、該側部から水平方向に突出する２つの第２フランジを有し、各第２フランジは複数の第２貫通穴を有する、請求項１ないし３のいずれか１項に記載のＬＥＤ道路照明器具。
【請求項５】
前記照明開口部は、矩形であり、４つの側壁を有し、
前記ＬＥＤモジュールは、前記照明開口部の相対する２つの側壁に固定された２つの支持ブラケットと、
前記支持ブラケットに取り付けられたランプシェードと、
前記ベースの前記底部に取り付けられ、底部を有する取付け用プレートと、
それぞれが前記取付け用プレートの前記底部に取り付けられた複数のＬＥＤ素子とを有する、請求項１ないし３のいずれか１項に記載のＬＥＤ道路照明器具。
【請求項６】
前記照明開口部は４つの側壁を有し、
前記ＬＥＤモジュールは、前記照明開口部の相対する２つの側壁に取り付けられた２つの支持ブラケットと、
前記支持ブラケットに取り付けられたランプシェードと、
前記ベースの前記底部に取り付けられ、底部を有する取付け用プレートと、
それぞれが前記取付け用プレートの前記底部に取り付けられた複数のＬＥＤ素子とを有する、請求項４に記載のＬＥＤ道路照明器具。
【請求項７】
前記照明開口部は、矩形であり、４つの側壁を有し、相対する２つの側壁は傾斜しており、
各支持ブラケットは、傾斜した側壁の１つに取り付けられた取付け用の傾斜部分と、
前記照明開口部を貫くために、前記傾斜部分の底部に形成され、該底部から下方へ突出するＬ字形の支持部分とを有し、
前記ランプシェードは、湾曲しており、前記ランプシェードの相対する２つの側部に形成され、該側部から水平方向に突出する２つのランプフランジを有し、各ランプフランジは前記支持ブラケットの前記支持部分に取り付けられている、請求項５又は６に記載のＬＥＤ道路照明器具。
【請求項８】
前記照明開口部は相対する２つの傾斜した側壁を有し、
各支持ブラケットは、前記傾斜した側壁の１つに取り付けられた取付け用の傾斜部分と、
前記照明開口部を貫くために、前記傾斜部分の底部に形成され、該底部から下方へ突出するＬ字形の支持部分とを有し、
前記ランプシェードは、湾曲しており、前記ランプシェードの相対する２つの側部に形成され、該側部から水平方向に突出する２つのランプフランジを有し、各ランプフランジは前記支持ブラケットの前記支持部分に取り付けられている、請求項６に記載のＬＥＤ道路照明器具。
【請求項９】
前記照明ポールホルダー組立体は、底部とそれぞれが該底部に形成され、該底部から下方へ突出し、前記ベースの前記第２滑動スロットに滑動可能に取り付けられた複数の第２滑動リブとを有する第１スリーブと、
底部とそれぞれが該底部に形成され、該底部から下方へ突出し、前記ベースの前記第２滑動スロットに滑動可能に取り付けられた複数の第２滑動リブと前記第１スリーブの端部を取り巻き、該端部に取り付けられた端部とを有する第２スリーブと、
前記第１スリーブと前記第２スリーブとの間に配置され、圧縮された防水用のガスケットとを有する、請求項８に記載のＬＥＤ道路照明器具。
【請求項１０】
前記第１スリーブ及び前記第２スリーブのそれぞれは、前記第１スリーブの前記底部の２つの側部に形成され、該側部から斜めに外方へ突出し、前記ベースの前記頂部に固定された２つの固定用プレートを有する、請求項９に記載のＬＥＤ道路照明器具。
【請求項１１】
前記ヒートシンクは、それぞれが該ヒートシンクの前記底部に形成され、該底部から下方へ突出する複数のフィンを有する、請求項１ないし３のいずれか１項に記載のＬＥＤ道路照明器具。